【事件の表示】
　特許第３３６０６８４号「食器洗浄器」の請求項１ないし６に係る特許に対する特許異議の申立てについて、次のとおり決定する。
【結　論】
　訂正を認める。
　特許第３３６０６８４号の請求項１ないし４に係る特許を取り消す。
【理　由】
１．手続の経緯
　特許第３３６０６８４号の請求項１ないし６に係る発明は、平成７年９月２１日に出願した特願平７−２４３０９３号の一部を、平成１３年９月６日に新たに特許出願としたものであり、平成１４年１０月１８日にその特許の設定登録がなされ、その後、請求項１ないし６に係る特許に対して株式会社　東芝より、請求項１，２，３，５，６に係る特許に対して株式会社　日立製作所より、請求項１ないし６に係る特許に対して山口順久より、それぞれ特許異議の申立てがなされ、取消理由通知がなされ、その指定期間内である平成１６年８月２日に訂正請求がなされたものである。
　　　　　　　
２．訂正の適否についての判断
 (１)訂正の内容
ア．訂正事項ａ
　特許請求の範囲の請求項１の記載について、「【請求項１】
食器洗浄機の利点を損なうことなく、作業性及びスペースの点で問題があった狭いキッチンに対応できるように小型化され、キッチンのスペースを有効に活用できる奥行きが縮小された構造を持った食器洗浄機であって、
上下に複数設けられた
最下端の扉は、下方へのはね下げによって開とされ、上に配置されている扉は
前記扉のうちの少なくとも最下端の扉を開いた状態で前記ラックのひとつがその開いた扉の上に引出して使用可能な
イ．訂正事項ｂ
　訂正前の請求項２及び６を削除する。　
ウ．訂正事項ｃ
　訂正前の請求項３を「【請求項２】
請求項１
エ．訂正事項ｄ
　訂正前の請求項４を「【請求項３】
請求項１
オ．訂正事項ｅ
　訂正前の請求項５を「【請求項４】請求項１乃至
請求項３
カ．訂正事項ｆ
　明細書の段落【００１１】の「食器を収納する・・・小さい」を、「食器を収納する
上下に複数設けられた
前記扉のうちの少なくとも最下端の扉を開いた状態で前記ラックのひとつがその開いた扉の上に引出して使用可能な構成と
キ．訂正事項ｇ
　明細書の段落【００１２】の「又は幅寸法」を削除する。
ク．訂正事項ｈ
　明細書の段落【００１３】の「該扉のうち最下方の扉は、下方へのはね下げによって開とされるようにした場合」を、「該扉のうち最下方の扉は、下方へのはね下げによって開とされるように
し
ケ．訂正事項ｉ
　明細書の段落【００１５】の「下に配置されている扉は下方へのはね下げによって開とされるようにした。」を、「
最下端
コ．訂正事項ｊ
　明細書の段落【００２８】の「図５（ａ）、及び」、「図５（ａ）に示す態様は、・・・上方へのはね上げによって開く。」及び段落【００２９】の「（ａ）」を削除する。
サ．訂正事項ｋ
【図５】中、（ａ）の図を削除する。
　　
（２）訂正の目的の適否、新規事項の有無及び拡張・変更の存否
　上記訂正事項ａは、訂正前の請求項１に（ａ）食器洗浄機がどの様なキッチンで使用されるのかという点、（ｂ）食器を収納するラックを上下に複数設けるとした点、（ｃ）最下方の扉は、下方へのはね下げによって開とされるとした点、（ｄ）扉のうちの少なくとも最下端の扉を開いた状態で前記ラックのひとつがその開いた扉の上に引出して使用可能とした点、をそれぞれ限定するものであり、（ａ）と（ｂ）の限定は、それぞれ願書に添付された明細書の段落【００１０】【００１７】【００１８】【００２５】【００３０】に記載されており、（ｃ）と（ｄ）の限定は訂正前の請求項２及び６の記載に基づくものまたは示唆されたものであるから、特許請求の範囲の減縮を目的とした明細書の訂正に該当し、また、上記訂正事項ｆ、上記訂正事項ｇ及び訂正事項ｈ〜ｋは、上記訂正事項ａと整合を図るものであるから、明りょうでない記載の釈明を目的とした明細書の訂正に該当し、また、いずれも新規事項の追加に該当せず、実質的に特許請求の範囲を拡張又は変更するものではない。
また、上記訂正事項ｂは請求項２及び６を削除するものであり、特許請求の範囲の減縮を目的とした明細書の訂正に該当し、また、上記訂正事項ｃ〜ｅは請求項２の削除に合わせて引用の整合を図るものであるから、明りょうでない記載の釈明を目的とした明細書の訂正に該当し、いずれも新規事項の追加に該当せず、実質的に特許請求の範囲を拡張又は変更するものではない。   
（３）むすび
　以上のとおりであるから、上記訂正は、特許法第１２０条の４第２項及び同条第３項において準用する特許法第１２６条第２項から第３項までの規定に適合するので、当該訂正を認める。
　　　　　　　　　
３．特許異議の申立てについて
（１）本件発明
　上記２．で示したように上記訂正が認められるから、本件の請求項１〜４に係る発明は、上記訂正に係る訂正明細書の特許請求の範囲の請求項１〜４に記載されたとおりのものである。
　【請求項１】
食器洗浄機の利点を損なうことなく、作業性及びスペースの点で問題があった狭いキッチンに対応できるように小型化され、キッチンのスペースを有効に活用できる奥行きが縮小された構造を持った食器洗浄機であって、
上下に複数設けられた
最下端の扉は、下方へのはね下げによって開とされ、上に配置されている扉は
前記扉のうちの少なくとも最下端の扉を開いた状態で前記ラックのひとつがその開いた扉の上に引出して使用可能な
【請求項２】
請求項１
【請求項３】
請求項１
【請求項４】請求項１乃至
請求項３
（以下、「本件発明４」という。）
　　　　
(２)当審で通知した取消し理由の概要  　   
　本件発明１〜４の特許に対して、平成１６年５月２５日付け取消理由通知の概要は次のとおりである。  
「本件発明１〜４の特許は、下記刊行物１〜３に記載された発明であるから、特許法第２９条第１項第３号の規定により特許を受けることができない。また、本件発明１〜４の特許は、下記刊行物１〜３に記載された発明に基づいて当業者が容易に発明をすることができたものであるから、特許法第２９条第２項の規定により特許を受けることができない。
刊行物1：米国特許第3288154号明細書（特許異議申立人山口順久の提出した甲第3号証）
刊行物2：特開昭63-186603号公報（特許異議申立人山口順久の提出した甲第2号証）
刊行物3：特開昭50-26356号公報（特許異議申立人山口順久の提出した甲第1号証）」
　　　　　　
(３)引用刊行物に記載された発明
　当審で通知した取消しの理由で引用した刊行物１〜３には以下のような事項が記載されている。 
　（３−１）刊行物１　（括弧内は翻訳文の要約）
ア．「This invention relates to ・・・in modern kitchen layouts．」
（この発明は、・・・特に、複数の個別の洗浄室を持っている皿洗い機に関するものである。・・・台所のキャビネットやカウンター上面の配置の中にその装置が置かれたときに、明らかな組み込み式の外観を呈する高くて、広くて、浅い構成を持った家庭用機器を提供する・・・ふつうの台所の配置にも適合するし、近代的なレイアウトの台所で使ってもよく合う。）　　　　　　（明細書第１欄第９〜２６行参照）　
イ．「Pressurized fluid through the tube 170 ・・・ within compartment 32．」
（管１７０を通った高圧の流体は・・・開口部１７１を通ってその外方向に通過する液体が、ラック１７３，１７４の上下にある物体に向けて流される。洗浄室３２の中のさらなる散水パターンは、・・・洗浄室３２の中の容器３０の上面に取り付けられている回転散水ヘッド１７６へと通る流体によって得られる。）（明細書第５欄第４０〜４８行及びＦｉｇ．２ 参照）　
ウ．「further means to render said lost motion・・・ washing compartment．」
（さらに、前記のロストモーション手段・・上のドアを持ち上げて開口部から退かせ、下のドアを前方かつ下方に動かして水平にして洗浄室の出し入れが便利なように作業面を形成する手段を備えることによって皿洗い装置を改良することにある。）（明細書第２欄第１行〜７行及びＦｉｇ．２ 参照）エ．「One feature of the present invention・・・  in their open position．」
（本発明の１つの特徴・・ドア部材３３，３４は、ドアのそれぞれの側面の近くに位置している・・結合アセンブリ４２，４４にそれぞれ取り付けられている。）（明細書第２欄第６７行〜第３欄第１行及びＦｉｇ．４ 参照）
　　　　　　
　（３−２）刊行物２　
オ．「狭いキッチンに対応できるように小型化され、キッチンのスペースを有効に活用できる食器洗い機」 （図１、２を参照）
カ．「シンク側方のアイレベル空間にシンクと近接して、収納キャビネットを配し、この収納キャビネットの少なくともシンクと相対する側壁に開口を設けるとともに、収納キャビネット内に、出入口を前記開口部に配設する食器洗い機を設けてなる」（特許請求の範囲の記載を参照）
　また、「開口部７には、食器洗い機８の出入口を相対するように配設され、前記開口部７は食器洗い機８の扉９で開閉されるようになっている。食器洗い機８は、シンク５方向に引出し自在とするラック１０を有し、そのラック１０に食器１１をセットする。」　　　　　　　　　　　　　　　　　　　（公報第２頁左上欄第１４〜１９行、図１，図２を参照）
キ．「扉９を開け、第１図のように、ラック１０をシンク側に引き出した状態にセットし、仮洗いした食器１１をラック１０にセットする。」　　　　　（公報第２頁右上欄第４〜６行、図１，図２を参照）
　　　　　　　　
　これらの記載事項によれば、刊行物２に記載された食器洗い機は仮洗いした食器をラックに収納して洗うもので、給排水管を備えていることからみて、洗浄槽及び洗浄機構を有することは明らかであり、ラックも洗浄槽に収納されていることは、図１，２の記載から明白である。してみれば、刊行物２には以下のとおりの発明が記載されていると認められる。
「食器洗い機であって、食器を収納するラックと、ラックを収納する洗浄槽と、洗浄槽内の食器を洗浄する洗浄手段を有する食器洗い機において、前記洗浄槽には前記食器または前記ラックを出し入れする出入口を前方に有し、該出入口には扉を備えるとともに、該扉は、下方へのはね下げによって開とされ、扉を開いた状態で前記ラックがその開いた扉の上に引出して使用可能な食器洗い機」（以下、「引用発明」という。）
　　　　　　　　　
　（３−３）刊行物３　　
ク．「水が供給されるタンクを形成する容器を有し、タンクの底部には水をポンプしてタンクの上部に収められている洗浄すべき物品に向けて噴射するためのポンプ装置が設けられ・・・回転散水器に供給するようにしている。」（公報第４頁左下欄第７行〜右下欄第５行、及びＦｉｇ．１，２，４を参照）
ケ．「タンクは底壁１、後壁２、２つの側壁３、上壁４およびロックすることができるドア５を有し、ドア５によって閉じられる。ドア５は・・・位置５ａにおいてより薄い材料によってちょうつがい的に結合される。上下のドア５は第２図に示す如くそれぞれ腕１０３，１０２が位置１０４においてちょうつがい結合しているためそれぞれ上下方向に同時に開く。」
　（公報第６頁左上欄第５〜１４行、及びＦｉｇ．１，２を参照）
　　　　
(４)対比及び判断　
　本件発明１と引用発明とを対比すると、引用発明の食器洗い機は食器洗浄機と同義であり、しかも、食器洗い機の利点を損なうことなく、作業性及びスペースの点で問題があった狭いキッチンに対応できるように小型化され、キッチンのスペースを有効に活用できるものと認められるから、両者は、
「食器洗浄機の利点を損なうことなく、作業性及びスペースの点で問題があった狭いキッチンに対応できるように小型化され、キッチンのスペースを有効に活用できる食器洗浄機であって、食器を収納するラックと、ラックを収納する洗浄槽と、洗浄槽内の食器を洗浄する洗浄手段を有する食器洗浄機において、前記洗浄槽には前記食器または前記ラックを出し入れする出入口を前方に有し、該出入口には扉を備えるとともに、該扉は下方へのはね下げによって開とされ、前記扉を開いた状態で前記ラックがその開いた扉の上に引出して使用可能な食器洗浄機」で一致し、次の３つの点で相違する。　
　　　　　　
　相違点１：本件発明１が「少なくとも２枚以上の扉を上下に配置し」、「扉のうちの最下端の扉は、下方へのはね下げによって開とされ」、「上方へのはね上げによって開とされる扉が上に配置されている扉」であり、「且つ前記扉のうちの少なくとも１枚の扉を開けた状態で前記出入口から前方へ出ている前記扉の突出寸法が前記出入口の高さ寸法よりも小さく」したものであるのに対し、引用発明は扉が「下方へのはね下げによって開とされ」るものである点。　
　相違点２：本件発明１が「奥行きが縮小された構造」であるのに対して、引用発明ではそのような構造なのか不明な点。　
　相違点３：本件発明１は「上下に複数設けられた」ラックを有するのに対して、引用発明ではラックは有するものの複数になっていない点。　
　相違点４：本件発明１が「扉のうちの少なくとも最下端」の扉を開いた状態でラック「のひとつ」がその開いた扉の上に引出して使用可能な構成であるのに対し、引用発明は扉を開いた状態でラックがその開いた扉の上に引出して使用可能な構成である点。　　
　　　　　
　そこで、上記相違点１〜４について検討する。
　相違点１．について、上記の３．（３）ウ、に「上のドアを持ち上げて・・・下のドアを前方かつ下方に動かして水平にして洗浄室の出し入れが便利なように・・・」（刊行物１）、同じくエ、には「ドア３３，３４は・・・結合アセンブリ４２，４４にそれぞれ取り付けられている」（刊行物１）、同じくケ、には「上下のドア５は第２図に示す如く・・・上下方向に同時に開く。」（刊行物３）と記載されており、これらの記載から「２枚の扉を上下に配置して備えるとともに、該扉のうちの下の扉は下方へのはね下げによって開とされ、上に配置されている扉は上方へのはね上げによって開とされる」点は上記刊行物１，刊行物３にそれぞれ示されているといえるから、引用発明に記載されている扉を本件発明１のごとく、少なくとも２枚以上の扉として上下方向に配置し、扉のうちの最下端の扉は下方へのはね下げによって開とされ、上方の扉を上にはね上げによって開とすることは、当業者であれば容易に想到し得たことである。
　なお、上記の構成を施した当然の帰結として、２枚以上の扉のうちの少なくとも１枚の扉を開けた状態で出入口から前方へ出ている扉の突出寸法が出入口の高さ寸法よりも小さくなることは明らかである。
　相違点２．及び相違点３．については、上記の３．（３）ア、の「台所のキャビネットやカウンター上面の配置のなかにその装置が置かれたときに、明らかな組み込み式の外観を呈する高くて、広くて浅い構成を持った・・・ふつうの台所の配置にも適合するし、近代的なレイアウトの台所で使ってもよく合う。」や、刊行物１のＦｉｇ．２からみて、刊行物１には「奥行きが縮小された構造を持ったDISHWASHER（皿洗い機器）で、上下に複数段のラック１７４，１６７を有する」ことが示されているといえる。
　食器洗浄機を配置する際、スペースを有効に利用しようとすれば収納スペースに合わせた構造とすることは通常行われていることであり、引用発明の食器洗い機の構成を設置する台所に合わせて、奥行きが縮小された構造とし上下にラックを複数段に配置することは当業者であれば適宜なし得る程度の設計的な事項に過ぎない。
　相違点４．についても、扉の上に引出して載せる際、食器を載せたラックは相当な重さであり、その重量バランスを考慮すれば２枚以上の扉の最下端の扉に載置させるよう配慮することは当業者が当然考慮すべき設計的な事項に過ぎない。
　そして、引用発明及び刊行物１，３に記載された事項は、いずれも本件発明１と同じく食器洗浄機に関するものであるから、刊行物１，３に記載された事項を引用発明の扉の構成に適用することにより、本件発明１は当業者が容易に想到し得たものである。
　本件発明２は、本件発明１の「２枚以上の扉」を「２枚の扉」とし、「上に配置された扉は上方へのはね上げにて開とされ、下に配置されている扉は下方へのはね下げにて開とされる」ことを限定しているが、上記本件発明１における理由と同じ理由により、当業者が容易に想到し得たことである。
　本件発明３は、本件発明１の「２枚以上の扉」を「２枚の扉」とし、「上に配置された扉は下方へのはね下げにて開とされ、下に配置されている扉は下方へのはね下げにて開とされる」ことを限定しているが、上に配置された扉を下方へのはね下げにて開とすることは当業者が適宜なし得る程度の設計的な事項に過ぎず、上記本件発明１における理由と同じ理由により、当業者が容易に想到し得たことである。
　本件発明４は、本件発明１の「食器洗浄機」を「食器洗浄機はキッチンのシンク側方に設置されるとともに、前記出入口がシンクに相対するように設置される」と限定しているが、かかる限定は上記引用発明に具備されており（上記の（２）カ．参照）、上記本件発明１における理由と同じ理由により、当業者が容易に想到し得たものである。
　
(５)むすび
　以上のとおり、本件発明１〜４は、上記引用発明及び刊行物１，３に記載された発明に基づいて当業者が容易に発明をすることができたものであるから、本件発明１〜４についての特許は特許法第２９条第２項の規定に違反してされたものである。
　したがって、本件発明１〜４についての特許は、特許法第１１３条第２号に該当し、取り消されるべきものである。
　よって、結論のとおり決定する。
【異議決定日】
平成１７年４月１日（２００５．４．１）
【訂正の要旨】
審決（決定）の【理由】欄参照。
（５４）【発明の名称】
食器洗浄機
（５７）【特許請求の範囲】
　【請求項１】
食器洗浄機の利点を損なうことなく、作業性及びスペースの点で問題があった狭いキッチンに対応できるように小型化され、キッチンのスペースを有効に活用できる奥行きが縮小された構造を持った食器洗浄機であって
上下に複数設けられた
最下端の扉は、下方へのはね下げによって開とされ、上に配置されている扉は
前記扉のうちの少なくとも最下端の扉を開いた状態で前記ラックのひとつがその開いた扉の上に引出して使用可能な
　【請求項２】
請求項１
　【請求項３】
請求項１
　【請求項４】請求項１乃至
請求項３
【発明の詳細な説明】
　【０００１】
　【発明の属する技術分野】本発明は食器を洗浄する食器洗浄機に関するものである。
　【０００２】
　【従来の技術】従来食器洗浄機の設置場所としてはシンク付近の天板下部が一般的であったため、食器を洗浄機にセットするためには腰をかがめるという無理な姿勢で作業を行う必要があった。また、食器洗浄機に食器をセットする前には食器を仮洗い流す作業が発生するため、従来のシンク付近の天板下部に設置された食器洗浄機においては食器をセットする際に水滴が床面に落下するという問題もあった。
　【０００３】上記の問題を解決するため、キッチンのシンク側方に隣接して食器洗浄機を設置し、シンクに相対する側に開口部を設けることでシンクから食器洗浄機への食器の移動をスムーズに行えるように工夫したキャビネット組み込み型の食器洗浄機が特開昭６３−１８６６０３号公報に開示されている。
　【０００４】この食器洗浄機は図７に示されるように、流し台１０１の上部にシンク１０２が載置定着され、シンク１０２と相対するアイレベル（床上高さ：８００ｍｍ〜１４００ｍｍ）の側壁に開口部１０３が設けられた食器洗浄機組み込みキャビネット１０４が配置され、前記開口部１０３は食器洗浄機１０５の扉１０６で開閉されるようになっている。
　【０００５】食器洗浄機１０５はシンク１０２方向に引き出し自在なラック１０７を有し、扉１０６を開け、ラック１０７をシンク１０２側に引き出した状態で仮洗いした食器１０８をラック１０７にセットする際に、仮洗いした食器からこぼれ落ちる水滴を流し台１０１で受けることで、水滴が床面に落ちない構造とし、ラック１０７に食器をセットし終わると、食器洗浄機１０５の扉１０６を閉め、操作部１０９を作動させることにより食器を洗浄し、乾燥させることができる。
　【０００６】この先行技術においてはシンク側方のアイレベルの空間に食器洗浄機の開口部が設けられているので食器を仮洗いしながら、そのままの姿勢で仮洗いした食器を食器洗浄機内へ収納することができ、腰をかがめるという無理な姿勢での作業は必要ではなくなる。また、仮洗いした食器の食器洗浄機への収納作業は流し台の天板の上で行うことができるため、食器からこぼれる水を天板で受けることができ、床面に水滴を落とすことなく作業を行うことができる。
　【０００７】このように、特開昭６３−１８６６０３号公報に開示されたキャビネット組み込み型の食器洗浄機によって従来の食器洗浄機における作業性の悪さの問題は解決された。しかしながら、このキャビネット組み込み型の食器洗浄機の持つ問題として、その構造上、設置できるキッチンが限定されるということが挙げられる。すなわち、特開昭６３−１８６６０３号公報の開示内容からも明らかであるように、キャビネット組み込み型の食器洗浄機の利点を活かすためには食器洗浄機組み込みキャビネットをシンク側方に設置することが不可欠であり、かつ食器洗浄機の扉を開くためには、十分なスペースが必要となる。そのため、キッチンのシンク側方において食器洗浄機組み込みキャビネットが設置できるだけの空間が必要となる。かつ食器洗浄機の扉を開くためには、十分なスペースが必要となる。
　【０００８】ところが、一般的に普及している規格サイズのシステムキッチンをキッチンに設置した場合、わが国の台所事情から、キッチンのシンクの側方に発生する空きスペースは通常あまり大きなものではない。よって、わが国のキッチンにおいて食器洗浄機を使用するためには、その狭いシンク側方のスペースにも設置できるだけのコンパクトな食器洗浄機が不可欠である。
　【０００９】一方、従来のキャビネット組み込み型の食器洗浄機においては食器を洗浄する手段としてプロペラ式に回転する洗浄ノズルが用いられている。こうした構造をもつ食器洗浄機組み込みキャビネットにおいては、洗浄ノズルが回転するのに十分な幅を前後左右にとる必要があるため、その構造ゆえに食器洗浄機、ひいてはキャビネット自体を小型化するには限界があった。したがって、現状では、食器洗浄機組み込みキャビネットを設置するにあたってシンク側方の、特にキャビネットの奥行き方向にあたるスペースが十分にとれるキッチンが極めて少なく、結果として食器洗浄機組み込みキャビネットが設置できるキッチンがごく限定されている状況にある。よって、食器洗浄機組み込みキャビネット、ひいては食器洗浄機それ自体が普及しにくくなっているという問題がある。
　【００１０】
　【発明が解決しようとする課題】本発明の課題は、上記の問題に鑑み、食器洗浄機の利点を損なうことなくより多くのキッチンに対応できるように小型化され、かつ可能な限りシンプルでありながらキッチンのスペースを有効に活用できる構造を持ち、かつ低コストでの製造が可能である食器洗浄機を提供することである。
　【００１１】
　【課題を解決するための手段】上記課題を解決するため、本発明における食器洗浄機は、食器を収納する
上下に複数設けられた
前記扉のうちの少なくとも最下端の扉を開いた状態で前記ラックのひとつがその開いた扉の上に引出して使用可能な
　【００１２】従って、扉の寸法が出入口の高さ寸法よりも小さくすることができ、それにより扉を開いたときに要する食器洗浄機の前方のスペースを小さくすることができる。
　【００１３】また、前記出入口には少なくとも２枚以上の扉を上下に配置して備えるとともに、該扉のうちの最下端の扉は、下方へのはね下げによって開とされるようにし、食器をラックにセットする際に食器からたれる水滴を、最下端の扉で受けることができるので、水滴が床面に落ちて濡れる心配をしなくてすむ。
　【００１４】また、前記出入口には上下に配置された２枚の扉を備え、該２枚の扉のうち、上に配置されている扉は上方へのはね上げにて開とされ、下に配置されている扉は下方へのはね下げにて開とされるようにした。
　【００１５】更に、前記出入口には上下に配置された２枚の扉を備え、該２枚の扉のうち、上に配置されている扉は下方へのはね下げにて開とされ、
最下端
　【００１６】従って、上記の場合にも扉１枚当たりの高さ寸法を出入口の高さ寸法よりも小さくすることができ、それにより扉を開いたときに要する食器洗浄機の前方のスペースを小さくすることができることはいうまでもない。
　【００１７】以上のような扉の構成とすることで、食器洗浄機に食器をセットする際にも、扉を開いたときに要する食器洗浄機の前方のスペースを小さくすることができ、開いた扉によってシンクが手狭になるなどの作業性の悪さが改善され、狭いキッチンにおいても効率のよい作業を行うことが可能となる。
　【００１８】さらに、前記食器洗浄機はキッチンのシンク側方に設置されるとともに、前記出入口がシンクに相対するように設置することにより、シンク側方に設置される食器洗浄機の利点を十分に活かしながら、従来設置が不可能であった狭いキッチンのシンク側方のスペースにも容易に設置することが可能である。
　【００１９】さらに、前記ラックが、前記扉のうちの少なくとも１枚を開いた状態でその開いた扉の上に引出して使用可能にしたので、食器をラックにセットする際に食器やラックからたれる水滴を、扉で受けることができるので、水滴が床面に落ちて濡れる心配をしなくてすむようになる。
　【００２０】したがって、本発明によれば、シンク側方に設置される食器洗浄機の利点を十分に活かしながら、従来設置が不可能であった狭いキッチンのシンク側方のスペースにも容易に設置することが可能で、また扉の開閉に必要なスペースを縮小することができ、狭いキッチンにおいても不便を感じることなく作業を行うことができるとともに、シンプルで経済的な食器洗浄機を提供することができるようになる。
　【００２１】
　【発明の実施の形態】以下に本発明における実施の形態について図面を参照しながら説明する。図１は、本発明に係る食器洗浄機の正面図であり、図２及び図３は、それぞれ同食器洗浄機の部分断面正面図及び部分断面側面図である。図１にあっては、キャビネット４に設けたスペース内に食器洗浄機５を出し入れ自在に収納している。
　【００２２】図１乃至図３に示すように、食器洗浄機５は洗浄槽１０を備える。洗浄槽１０の前方には、食器洗浄機５内の食器８を出し入れする出入口に、扉６および扉６′が上下に配置され、さらに扉６′の下方部に操作部９を有する。さらに、扉６および扉６′は、下方へのはね下げにて開とされる。洗浄槽１０内には食器８を収納するラック７およびラック７′を上下に備える。
　【００２３】また、洗浄槽１０内には洗浄水を噴射する洗浄手段１１を設けて、洗浄手段１１には洗浄槽１０の奥行き方向ｄに直交する幅方向ｗに延在し、その一端を軸受１２ａにより支持された断面円筒形状の長尺状ノズル１３に複数の噴射口１４を設けてなる。この食器洗浄機５は、一例として、図６に示すようにキッチンのシンク側方のキャビネットに組み込んで設置することが可能である。
　【００２４】食器洗浄機５を使用する際は、扉６および扉６′を開けて、ラック７およびラック７′を手前方向に引出し、仮洗いした食器８をラック７およびラック７′にセットする。その際、食器８からこぼれ落ちる水滴はシンク２や扉６および扉６′で受けられ、床面に落ちることはない。ラック７およびラック７′に食器８をセットし終わると、ラック７およびラック７′を食器洗浄機５の中に戻し、扉６および扉６′を閉めて、操作部９を作動させることにより食器８を洗浄乾燥する。
　【００２５】すなわち、本発明の食器洗浄機においては、洗浄手段１１が従来のプロペラ式の回転ではなく、長尺状ノズル１３それ自体が軸受け１２ａにより支持された状態で回転する構造となっている。このように洗浄手段の回転方法を改善して洗浄手段の回転に必要なスペースを縮小することで食器洗浄機の奥行きｄが縮小され、より狭い空間への設置も可能となる。また、長尺状ノズル１３に設けられた洗浄水を噴射する複数個の噴射口１４は、洗浄手段１１の回転中心から偏位した位置に設けられている。
　【００２６】図４は洗浄手段１１における長尺状ノズル１３の断面図である。図４（ａ）に示すように、噴射口１４はその延長線が長尺状ノズル１３の回転中心１５を通らない向きに向けられているため、長尺状ノズル１３へ送り込まれた洗浄水が噴射口１４より噴射されると、食器８が洗浄されると共に、噴射される洗浄水の勢いにより矢印ａ、ｂに示した方向へ反力が発生し、加圧噴水それ自身の力で長尺状ノズル１３が回転する。これに対し、噴射口１４の延長線が長尺状ノズルの回転中心を通るように設けられていると図４（ｂ）に示すように噴射される洗浄水による反力は発生せず、長尺状ノズル１３は自転しない。
　【００２７】上記構成において洗浄動作を説明する。上扉６及び下扉６′を開け、食器８を洗浄槽１０内にあるラック７に配置して、再び扉６、６′を閉める。操作部９を通って運転開始すると、洗浄水が食器８に向けて長尺状ノズル１３から噴出され、食器８を洗浄する。その後、食器８を乾燥する。
　【００２８】次に、図５に基づいて、扉の開閉状態を説明する。すなわち、狭いスペースへの設置を可能とするために食器洗浄機の出入口に設けた扉の開閉に必要なスペースを縮小する工夫がなされている。まず図５（ｂ）は、本発明の一実施の形態の食器洗浄機の概略図で、食器洗浄機５の扉の開閉の態様を示す。上下に配置された扉６および扉６′が、共に、矢印で示す方向に、下方へのはね下げによって開く。次ぎに、図５（ｃ）は、本発明の他の実施の形態の食器洗浄機の概略図である。また、図５（ｃ）に示す態様は、扉６がはね上げによって開き、扉６′がはね下げにようて開く。
　【００２９】図５に示すとおり、いずれの形態においても食器洗浄機５の出入口に設けた扉が２枚以上となっており、このように扉を複数枚にすることにより図８に示すような扉が一枚の従来の食器洗浄機に比べ、扉一枚あたりの高さｈまたは幅ｗを小さくすることができ、それにより扉を開いたときに要する食器洗浄機の前方のスペースの奥行きＷ’を小さくすることが可能である。従って扉の開閉に必要な食器洗浄機の前方のスペースが縮小され、狭い空間においても不自由なく使用できる構造となっている。扉の配置は、図５（ｂ）（ｃ）に示すように上下でもよい。
　【００３０】図５に示したように、扉を開くのに要する食器洗浄機の前方のスペースが小さくなることにより、例えば食器洗浄機５にセットする食器８をシンク２において仮洗いする際などに、開いた扉によってシンクが手狭になるなどの作業性の悪さが改善され、狭いキッチンにおいても効率のよい作業を行うことが可能となる。
　【００３１】このように、食器洗浄機の出入口に扉の寸法が出入口の高さ寸法又は幅寸法よりも小さい扉を配置することによって、扉の開閉に必要なスペースが縮小され、狭い空間においても食器洗浄機を不自由なく設置できる構造となっている。
　【００３２】
　【発明の効果】以上のように、食器洗浄機の出入口に設けられた扉を複数枚とすることで扉の開閉に必要なスペースを縮小する工夫をして、狭い空間において不便を感じることなく使用することができる。キッチンのスペースを有効に活用することが可能である。
【図面の簡単な説明】
　【図１】本発明の一実施の形態である食器洗浄機の正面図
　【図２】図１における食器洗浄機の部分断面正面図
　【図３】図１における食器洗浄機の部分断面側面図
　【図４】図２に示す食器洗浄機の洗浄手段の長尺状ノズルの縦断面図
　【図５】本発明の一実施の形態である食器洗浄機の部分省略斜視図
　【図６】本発明における食器洗浄機を組み込んだキッチンの斜視図
　【図７】従来の食器洗浄機を組み込んだキッチンの斜視図
　【図８】従来の食器洗浄機の部分省略斜視図
　【符号の説明】
　１…流し台、２…シンク、３…キャビネット開口部、４…食器洗浄機組み込みキャビネット、５…食器洗浄機、６、６′…扉、７、７′…ラック、８…食器、９…操作部、１０…洗浄槽、１１…洗浄手段、１２ｂ…ノズル軸、１３…長尺状ノズル、１４…噴射口、１５…長尺状ノズルの回転中心、１６…右扉、１６′…左扉、３４…接続部。
【図面】